(57)【特許請求の範囲】
【請求項１】
一端が覆われ他端が開口して鉄筋が挿入される円筒体からなり、この円筒体の開口端部に複数の抜け止め片を設け、各抜け止め片は、鉄筋の挿入動作に伴い、該鉄筋に摺接して挿入方向に曲げられるように形成するとともに、前記抜け止め片は、鉄筋挿入前は前記円筒体の開口端部より外側に突出し、鉄筋挿入時に内側に折り曲げて使用されることを特徴とする鉄筋キャップ。
【発明の詳細な説明】
【０００１】
【発明の属する技術分野】
本発明は鉄筋構造の建築現場において、鉄筋あるいは鋼管の端部に装着する鉄筋キャップに関する。
【０００２】
【従来の技術】
建設途中の鉄筋コンクリート建物の建築現場等において、下層階や地盤のコンクリート面から鉄筋が露出している場合あるいは鋼管のパイプ等がコンクリート型枠から突き出ている場合、このような鉄筋やパイプの突き出た端部に保護用の鉄筋キャップが被せられる。このような鉄筋およびパイプ兼用の鉄筋キャップを装着することにより、現場で衣服が引掛かることなどを防止して作業性を向上させるとともに、パイプの場合にはパイプ内への雨水等の進入を防止したり或いは色分けによるパイプの識別を可能としている。
【０００３】
このような鉄筋キャップとして、鉄筋、鋼管兼用安全キャップが登録実用新案第３００３７２３号公報に開示されている。この公報記載の安全キャップは、内周面に鉄筋を挟持するための係止用リブを備えた円筒本体の一端部に頭部を一体に形成し、この頭部の外周片と円筒本体との間にパイプ端を嵌合挟持するためのパイプ嵌着溝を形成したものである。
【０００４】
このような安全キャップを鉄筋端部に装着すると、キャップ円筒本体の内周面側に突出する複数枚の係止用リブが半径方向外側に押し広げられてその弾性力で鉄筋側面に圧接してキャップが鉄筋端部に保持される。これにより、径の異なる複数種類の鉄筋に対して安全キャップを取付けることができる。
【０００５】
【発明が解決しようとする課題】
しかしながら、上記公報記載の安全キャップにおいては、円筒本体の内周面に設けた複数枚の係止用リブの弾性圧接力によってのみキャップを径の異なる鉄筋に対し固定保持しているため、特に径の細い鉄筋に装着した場合に、圧接力が弱くなって確実な固定保持力が得られずキャップが抜け落ちるおそれがある。
【０００６】
本発明は上記従来技術を考慮したものであって、鉄筋端部に確実に係止して固定保持される鉄筋キャップの提供を目的とする。
【０００７】
【課題を解決するための手段】
前記目的を達成するため、本発明では、一端が覆われ他端が開口して鉄筋が挿入される円筒体からなり、この円筒体の開口端部に複数の抜け止め片を設け、各抜け止め片は、鉄筋の挿入動作に伴い、該鉄筋に摺接して挿入方向に曲げられるように形成したことを特徴とする。
【０００８】
この構成によれば、円筒体端部の複数の抜け止め片が、鉄筋の挿入に伴い、この鉄筋に押されてその挿入方向（円筒体の軸方向）に曲げられるため、鉄筋の逆方向（抜ける方向）の動きに対しては、折り曲げられた抜け止め片の端部が鉄筋側面に対し対向する斜め方向から当接して大きな係止力が作用して鉄筋の抜ける方向の動きが抑制される。
【０００９】
さらに、本発明では、前記抜け止め片は、鉄筋挿入前は前記円筒体の開口端部より外側に突出し、鉄筋挿入時に内側に折り曲げて使用されることを特徴としている。
【００１０】
この構成によれば、使用前の状態では、抜け止め片が円筒体端部の外側に突出するため、抜け止め片を円筒体と一体のモールド成形により形成することができる。使用時に、この抜け止め片を内側に折曲げて、鉄筋を挿入することにより、抜け止め片が鉄筋に押されてさらに挿入方向に曲げられ、鉄筋の挿入方向の動作を許容するとともに逆方向の動作を抑制する。
【００１１】
【発明の実施の形態】
以下図面を参照して本発明の実施の形態について説明する。図１（Ａ）（Ｂ）は本発明の実施の形態に係る鉄筋キャップの構成図であり、（Ａ）は（Ｂ）のＡ−Ａ方向の縦断面図、（Ｂ）は（Ａ）のＢ−Ｂ方向から見た底面図である。
【００１２】
この鉄筋キャップ１は鉄筋およびパイプ材に対し兼用のものであり、全体が樹脂材料のモールド成形により一体成形される。鉄筋キャップ１は、一端（図の下端）が開口した円筒体２とその上端を覆う頭部３とからなる。頭部３の周縁には縁枠４が一体に形成される。縁枠４は多角形（この例では八角形）の形状であり、その各頂部に凸条６が形成される。これにより、この鉄筋キャップ１の着脱時にキャップが滑りにくくなり取扱い性が向上する。縁枠４の内側には、この鉄筋キャップ１をパイプ材に装着するためのパイプ材嵌合用の溝５が形成される。
【００１３】
頭部３の内面側の中央部には突起７が形成される。鉄筋キャップを装着した状態では鉄筋端部がこの突起７に当接する。したがって、鉄筋端部が斜めに切断された場合であっても、キャップに作用した荷重を中心で受けて分散させることができ、人に対する影響を小さくすることができる。またキャップに作用した荷重が中央の突起で受けられるため、荷重に対するキャップの強度が高まるとともに、鉄筋切断面の周縁が頭部内面に当らないため、頭部の肉厚を薄くすることができる。
【００１４】
円筒体２の内周面には、（Ｂ）に示すように、４枚のリブ８が中心部に向けてほぼ渦巻き状に幾分湾曲して設けられる。各リブ８は、（Ａ）に示すように、軸方向に沿って円筒体２の内面に一体形成される。各リブ８の上縁８ａは頭部３から分離し、下縁８ｃは挿入された鉄筋を中心方向にガイドするように軸方向中心に向かって傾斜している。また、この下縁８ｃおよび側縁８ｂは、キャップを回しながら鉄筋に嵌め込むときに、鉄筋が円滑に回りながら挿入されるように端面が円周方向に傾斜している。
【００１５】
このようなリブ８が形成された円筒体２に鉄筋が挿入されると、鉄筋は各リブ８の軸方向に傾斜した下縁８ｃおよびこの下縁８ｃの円周方向に傾斜した端面に沿って中心方向にガイドされながら進入し、さらに側縁８ｂに沿って奥へ進入し突起７に突き当る。このとき、各リブ８の上縁８ａは頭部３から分離しているため、鉄筋の進入に伴い各リブ８が大きく変形して半径方向に押し広げられる。これにより、径の異なる各種鉄筋に対し、各リブ８が円滑に大きく変形して鉄筋を固定保持することができる。
【００１６】
本実施形態においては、円筒体２の開口端部に３枚の抜け止め片９が等間隔で放射状の位置に設けられる。各抜け止め片９は、円筒体２の開口円に沿って内周面を同一面として肉厚を円筒体２より薄くして一体形成される。抜け止め片９の厚さおよび円周方向の幅は、この抜け止め片９が円滑に内側に折れ曲ることができるような厚さおよび幅とする。この鉄筋キャップ１を鉄筋に装着する場合には、各抜け止め片９を、（Ｂ）の点線で示すように、内側に折曲げてから鉄筋を挿入する（鉄筋端部に被せる）。
【００１７】
図２は上記実施形態の抜け止め片９の作用を説明する半断面図であり、（Ａ）は使用前、（Ｂ）は使用時の状態を示す。鉄筋キャップ１を鉄筋に被せる前に、（Ａ）に示すように、各抜け止め片９を矢印Ｃのように内側に折り曲げる。この状態で（Ｂ）に示すように鉄筋１０を挿入する。これにより、抜け止め片９が軸方向の鉄筋挿入方向に押し曲げられる。このように抜け止め片９が鉄筋挿入方向に屈曲して鉄筋側面に圧接することにより、鉄筋１０の挿入動作に対しては円滑に摺接して鉄筋１０を内部に進入させることができるとともに、鉄筋１０の引出し動作（鉄筋キャップ１が外れる方向の動作）に対しては、抜け止め片９の先端部が鉄筋１０の側面に係止しあるいは大きな摩擦力が鉄筋１０の抜け止め方向に作用して鉄筋１０の抜け方向の動作を抑制する。
【００１８】
このような抜け止め片９の作用により、前述の円筒体２内のリブ８による鉄筋の固定保持作用とともに、鉄筋キャップ１が鉄筋１０に確実に固定される。キャップを外す場合には、抜け止め片９の係止力より強い力で引き抜くことにより外すことができる。外したキャップの抜け止め片９は弾性復帰力によりある程度まで戻る。再使用する場合には、抜け止め片９がある程度内側に折れ曲った状態であるため、そのまま或いはさらに折曲げてから鉄筋を挿入して被せることができる。
【００１９】
なお、上記実施形態では円筒体の内面に４枚のリブ８を設け頭部３は八角形としたが、リブ８の枚数や頭部３の多角形の形状はこれらに限定されない。また、抜け止め片９の枚数についても３枚に限定されず、折れ曲り易い形状で鉄筋の径に応じて適宜選定することができる。
【００２０】
また、キャップ自体の構成についても、上記実施形態に限定されず、パイプ嵌合用の溝５内および円筒体２の外周面に、パイプに弾性的に圧接するリブを設けてもよいし、あるいはこのようなパイプ用の溝５を頭部周縁にもたないキャップや円筒体２の内周面にリブ８をもたないキャップに対しても本発明は適用可能である。
【００２１】
【発明の効果】
以上説明したように、本発明では、円筒体端部の複数の抜け止め片が、鉄筋の挿入に伴い、その側面に摺接しながら円筒体の軸方向に沿って挿入方向に曲げられるため、鉄筋の逆方向（抜ける方向）の動きに対しては、折り曲げられた抜け止め片の端部が鉄筋側面に対し対向する斜め方向から当接して大きな係止力が作用して鉄筋の抜ける方向の動きが抑制される。これにより、径の細い鉄筋に対しても十分な固定保持力が作用してキャップが鉄筋端部に確実に保持される。また、抜け止め片が円筒体端部の外側に突出するため、抜け止め片を円筒体と一体のモールド成形により形成することができる。
【図面の簡単な説明】
【図１】 本発明の実施の形態に係る鉄筋キャップの構成説明図。
【図２】 本発明の実施の形態の作用説明図。
【符号の説明】
１：鉄筋キャップ、２：円筒体、３：頭部、４：縁枠、５：パイプ嵌合用の溝、６：凸条、７：突起、８：リブ、９：抜け止め片、１０：鉄筋
【図１】
0004162172.tif 000002
【図２】
0004162172.tif 000003